(57)【要約】      （修正有）【課題】タッチパネル型の表示装置を備える可搬型通信端末における画面表示制御システムを提供する。【解決手段】タッチパネル型表示装置で表示する画面の表示制御を，所定の表示制御ルールに従って行う画面表示制御部１２と，画面表示制御部における表示制御された画面をタッチパネル型表示装置で表示する画面表示処理部１３と，を備えており，画面表示制御部における所定の表示制御ルールとして，一定時間の経過による画面の変更，可搬型通信端末で検出した傾きに応じた変更タイミングに基づく画面の変更，または可搬型通信端末での所定の振動の検出に基づく画面の変更のいずれかを含む，画面表示制御システム。【選択図】図１
2014157571.tif 000002
【特許請求の範囲】
【請求項１】
タッチパネル型表示装置を備えた可搬型通信端末での画面表示制御システムであって，
前記画面表示制御システムは，
前記タッチパネル型表示装置で表示する画面の表示制御を，所定の表示制御ルールに従って行う画面表示制御部と，
前記画面表示制御部における表示制御された画面を前記タッチパネル型表示装置で表示する画面表示処理部と，を備えており，
前記画面表示制御部における前記所定の表示制御ルールとして，一定時間の経過による画面の変更，前記可搬型通信端末で検出した傾きに応じた変更タイミングに基づく画面の変更，または前記可搬型通信端末での所定の振動の検出に基づく画面の変更のいずれかを含む，
ことを特徴とする画面表示制御システム。
【請求項２】
前記画面表示制御部は，
取得した検索結果について，所定のタイミングが経過するごとに，その検索結果における各ウェブサイトのウェブページの表示制御をする，
ことを特徴とする請求項１に記載の画面表示制御システム。
【請求項３】
前記画面表示制御システムは，さらに，
前記可搬型通信端末に備えた傾き検出装置で検出した傾きの角度の情報に基づいて，傾きに応じた画面変更のタイミングを算出するタイミング算出部，を備え，
前記画面表示制御部は，
前記取得した検索結果について，前記算出した画面変更のタイミングに基づいて，その検索結果における各ウェブサイトのウェブページの表示制御をする，
ことを特徴とする請求項１または請求項２に記載の画面表示制御システム。
【請求項４】
前記画面表示制御システムは，さらに，
前記可搬型通信端末に備えた動き検出装置で検出した情報に基づいて，あらかじめ記憶された動きのパターンと一致する動きを判定する動き判定部，を備え，
前記取得した検索結果について，前記一致する動きを判定すると，その検索結果のうち，ランダムに特定したウェブサイトのウェブページの表示制御をする，
ことを特徴とする請求項１から請求項３のいずれかに記載の画面表示制御システム。
【請求項５】
前記画面表示制御部は，
所定のタイミングが経過するごとに，表示対象とするウェブサイトにおけるウェブページの表示制御をする，
ことを特徴とする請求項１から請求項４のいずれかに記載の画面表示制御システム。
【請求項６】
前記画面表示制御システムは，さらに，
前記可搬型通信端末に備えた傾き検出装置で検出した傾きの角度の情報に基づいて，傾きに応じた画面変更のタイミングを算出するタイミング算出部，を備え，
前記画面表示制御部は，
前記算出した画面変更のタイミングに基づいて，表示対象とするウェブサイトにおけるウェブページの表示制御をする，
ことを特徴とする請求項１から請求項５のいずれかに記載の画面表示制御システム。
【請求項７】
前記画面表示制御システムは，さらに，
前記可搬型通信端末に備えた動き検出装置で検出した情報に基づいて，あらかじめ記憶された動きのパターンと一致する動きを判定する動き判定部，を備え，
前記一致する動きを判定すると，表示対象とするウェブサイトの中からランダムに特定したウェブページの表示制御をする，
ことを特徴とする請求項１から請求項６のいずれかに記載の画面表示制御システム。
【請求項８】
前記画面表示制御システムは，さらに，
前記画面表示処理部で表示する画面であって，前記可搬型通信端末のタッチパネル型表示装置において一画面で表示可能な画面を生成する画面生成処理部，を有しており，
前記画面表示処理部は，
前記画面生成処理部で生成した画面の表示制御を，所定の表示制御ルールに従って行う，
ことを特徴とする請求項１から請求項７のいずれかに記載の画面表示制御システム。
【発明の詳細な説明】
【技術分野】
【０００１】
本発明は，タッチパネル型の表示装置を備える可搬型通信端末における画面表示制御システムに関する。
【背景技術】
【０００２】
従来，携帯電話，ＰＨＳ，ＰＤＡ，タブレット型コンピュータなどの可搬型通信端末では，液晶ディスプレイなどの表示装置とは別に，本体にボタンなどの入力装置が設けられ，入力装置から入力を行うことで，操作が行われていた。
【０００３】
しかし近年の可搬型通信端末では，タッチパネル型の表示装置が用いられるようになっている。そのため，入力装置と表示装置とが一体化し，本体前面の表面積の多くをタッチパネル型の表示装置で占めることができる。そのため，本体の大きさを変えずに表示装置を大きくすることができ，ユーザの視認性の向上に繋がっている。
【０００４】
タッチパネル型表示装置ではさまざまな情報を表示することができるが，そこで表示している画面を変更する場合には，指で所定箇所をタップしたり，フリックするなどの必要がある。このような操作方法を示すのが，下記非特許文献１である。
【０００５】
たとえば，検索画面において検索をした場合，一般的には，画面の縦方向に複数の検索結果が表示をされるため，それを閲覧したい場合には，タッチパネル型の表示装置上で，ユーザが指を下から上方向にはじくフリック操作をすることで，その表示装置で表示される画面が下から上方向にスクロールされる。その結果，検索結果を閲覧することができる。
【０００６】
また検索結果として表示される画面，たとえば飲食店を検索するための検索画面において，検索結果として表示される飲食店のウェブサイト（画面）を順次閲覧したい場合，その検索結果として表示される飲食店名に貼られているリンクを，ユーザが指でタップすることで，当該飲食店のウェブサイトがタッチパネル型の表示装置で表示される。そして，閲覧後，別の飲食店のウェブサイトを閲覧する場合には，検索結果まで戻り，再度，別の飲食店名に貼られているリンクを，ユーザが指でタップすることで，別の飲食店のウェブサイトがタッチパネル型の表示装置で表示される。
【先行技術文献】
【非特許文献】
【０００７】
【非特許文献１】ウェブリオ株式会社，”ＩＴ用語辞典バイナリ”，[online]，インターネット＜ＵＲＬ：http://www.sophia-it.com/content/%E3%83%95%E3%83%AA%E3%83%83%E3%82%AF＞
【発明の概要】
【発明が解決しようとする課題】
【０００８】
従来のように，タッチパネル型の表示装置で，特に縦方向に長く設計された画面を表示する場合，ユーザは，表示装置で頻繁にスクロール操作をしなければならない。そこで，フリック操作をすることで，画面を上下方向に一気にスクロールさせることができる。しかしフリック操作の場合，途中に所望の検索結果が表示されているかもしれず，画面が動きすぎてしまう可能性もある。そのため，ユーザはフリック操作の速度を微調整することで，上下方向の移動速度を変化させるが，所望の検索結果がどこにあるのかを知らないことも多く，その場合には，結局，スクロール操作をせざるを得ない。
【０００９】
また，タップ操作によって検索結果の中から，たとえば飲食店のウェブサイトを表示する場合にも，別の飲食店のウェブサイトを表示させるような場合には，再度，検索結果まで戻る操作をしなければならず，煩雑である。
【００１０】
そこで，タッチパネル型の表示装置を備える可搬型通信端末において，簡単に検索結果などの画面を閲覧することができる画面表示制御システムが望まれている。
【課題を解決するための手段】
【００１１】
本発明者は上記課題に鑑み，タッチパネル型の表示装置を備える可搬型通信端末であっても，容易に検索結果などの画面を閲覧することができる画面表示制御システムを発明した。
【００１２】
第１の発明は，タッチパネル型表示装置を備えた可搬型通信端末での画面表示制御システムであって，前記画面表示制御システムは，前記タッチパネル型表示装置で表示する画面の表示制御を，所定の表示制御ルールに従って行う画面表示制御部と，前記画面表示制御部における表示制御された画面を前記タッチパネル型表示装置で表示する画面表示処理部と，を備えており，前記画面表示制御部における前記所定の表示制御ルールとして，一定時間の経過による画面の変更，前記可搬型通信端末で検出した傾きに応じた変更タイミングに基づく画面の変更，または前記可搬型通信端末での所定の振動の検出に基づく画面の変更のいずれかを含む，画面表示制御システムである。
【００１３】
本発明のように構成することで，タッチパネル型表示装置の可搬型通信端末において，フリック操作やスクロール操作を行わずに画面の切替が行われるので，容易に検索結果やウェブサイトにおける各ウェブページを閲覧することができる。
【００１４】
上述の発明において，前記画面表示制御部は，取得した検索結果について，所定のタイミングが経過するごとに，その検索結果における各ウェブサイトのウェブページの表示制御をする，画面表示制御システムのように構成することができる。
【００１５】
画面の表示制御は，本発明のように所定のタイミングの経過によって行うことができる。
【００１６】
上述の発明において，前記画面表示制御システムは，さらに，前記可搬型通信端末に備えた傾き検出装置で検出した傾きの角度の情報に基づいて，傾きに応じた画面変更のタイミングを算出するタイミング算出部，を備え，前記画面表示制御部は，前記取得した検索結果について，前記算出した画面変更のタイミングに基づいて，その検索結果における各ウェブサイトのウェブページの表示制御をする，画面表示制御システムのように構成することができる。
【００１７】
単に所定のタイミングの経過では，検索結果が下位のウェブサイトを閲覧する場合，その時間だけ待っていなければならない。そこで，本発明のように構成することで，可搬型通信端末を傾ければ，その傾きに応じてタイミングを変更可能とすることができる。これによって，時間の節約をすることができる。
【００１８】
上述の発明において，前記画面表示制御システムは，さらに，前記可搬型通信端末に備えた動き検出装置で検出した情報に基づいて，あらかじめ記憶された動きのパターンと一致する動きを判定する動き判定部，を備え，前記取得した検索結果について，前記一致する動きを判定すると，その検索結果のうち，ランダムに特定したウェブサイトのウェブページの表示制御をする，画面表示制御システムのように構成することができる。
【００１９】
画面変更を自動的に行わせるほか，可搬型通信端末に対する外部的動作を検出することで，画面変更を行わせても良い。
【００２０】
上述の発明において，前記画面表示制御部は，所定のタイミングが経過するごとに，表示対象とするウェブサイトにおけるウェブページの表示制御をする，画面表示制御システムのように構成することができる。
【００２１】
１つのウェブサイトは複数のウェブページから成り立っていることが多いが，本発明のように画面の表示制御を行うことで，所定のタイミングごとに，そのウェブサイトにおける複数のウェブページを順次，閲覧することができる。
【００２２】
上述の発明において，前記画面表示制御システムは，さらに，前記可搬型通信端末に備えた傾き検出装置で検出した傾きの角度の情報に基づいて，傾きに応じた画面変更のタイミングを算出するタイミング算出部，を備え，前記画面表示制御部は，前記算出した画面変更のタイミングに基づいて，表示対象とするウェブサイトにおけるウェブページの表示制御をする，画面表示制御システムのように構成することができる。
【００２３】
ウェブサイトにおけるウェブページの閲覧の際に，単に所定のタイミングの経過ごとの変更では，ウェブサイトにおけるウェブページが多い場合，その閲覧に時間を要し，所望のウェブページにたどり着くまで時間がかかってしまうこともあり得る。そこで，本発明のように構成することで，可搬型通信端末を傾ければ，その傾きに応じてタイミングを変更可能とすることができる。これによって，時間の節約をすることができる。
【００２４】
上述の発明において，前記画面表示制御システムは，さらに，前記可搬型通信端末に備えた動き検出装置で検出した情報に基づいて，あらかじめ記憶された動きのパターンと一致する動きを判定する動き判定部，を備え，前記一致する動きを判定すると，表示対象とするウェブサイトの中からランダムに特定したウェブページの表示制御をする，画面表示制御システムのように構成することができる。
【００２５】
画面変更を自動的に行わせるほか，可搬型通信端末に対する外部的動作を検出することで，画面変更を行わせても良い。
【００２６】
上述の発明において，前記画面表示制御システムは，さらに，前記画面表示処理部で表示する画面であって，前記可搬型通信端末のタッチパネル型表示装置において一画面で表示可能な画面を生成する画面生成処理部，を有しており，前記画面表示処理部は，前記画面生成処理部で生成した画面の表示制御を，所定の表示制御ルールに従って行う，画面表示制御システムのように構成することができる。
【００２７】
本発明のように構成することで，あらかじめ，本発明の自動閲覧機能を実現するための画面表示制御システム用の画面を作成しておかなくても，自動的に最適な画面を表示させることができる。
【発明の効果】
【００２８】
本発明の画面表示制御システムを用いることによって，タッチパネル型の表示装置を備える可搬型通信端末であっても，容易に検索結果などの画面を閲覧することができる。
【図面の簡単な説明】
【００２９】
【図１】本発明の画面表示制御システムの第１実施例のシステム構成の一例を模式的に示す概念図である。
【図２】本発明の画面表示制御システムを搭載する可搬型通信端末のハードウェア構成の一例を模式的に示す図である。
【図３】第１実施例の処理プロセスの一例を模式的に示すフローチャートである。
【図４】第１実施例の処理プロセスのほかの一例を模式的に示すフローチャートである。
【図５】検索条件の入力画面の一例を模式的に示す図である。
【図６】検索結果の一覧を示す画面の一例を模式的に示す図である。
【図７】Ａ店のウェブサイトにおけるトップページを表示した状態を示す図である。
【図８】Ｂ店のウェブサイトにおけるトップページを表示した状態を示す図である。
【図９】Ｃ店のウェブサイトにおけるトップページを表示した状態を示す図である。
【図１０】検索に該当した飲食店のウェブサイトを，画面変更のタイミングごとに，順番に自動的に再生表示することを模式的に示す図である。
【図１１】通常のＡ店のトップページを表示した状態を示す図である。
【図１２】リスト情報の一例を模式的に示す図である。
【図１３】Ａ店のウェブサイトにおけるトップページを表示した状態を示す図である。
【図１４】Ａ店のウェブサイトにおける詳細情報のページを表示した状態を示す図である。
【図１５】Ａ店のウェブサイトにおけるコースメニューのページを表示した状態を示す図である。
【図１６】飲食店のウェブサイトにおけるウェブページを，画面変更のタイミングごとに，順番に自動的に再生表示することを模式的に示す図である。
【図１７】本発明の画面表示制御システムの第２実施例のシステム構成のほかの一例を模式的に示す概念図である。
【図１８】第２実施例の処理プロセスの一例を模式的に示すフローチャートである。
【図１９】傾き検出に基づく画面変更時間の算出処理を模式的に示す図である。
【図２０】検索に該当した飲食店のウェブサイトを，可搬型通信端末の傾きに応じた画面変更のタイミングごとに，順番に自動的に再生表示することを模式的に示す図である。
【図２１】第２実施例の処理プロセスのほかの一例を模式的に示すフローチャートである。
【図２２】飲食店のウェブサイトにおけるウェブページを，可搬型通信端末の傾きに応じた画面変更のタイミングごとに，順番に自動的に再生表示することを模式的に示す図である。
【図２３】本発明の画面表示制御システムの第３実施例のシステム構成のほかの一例を模式的に示す概念図である。
【図２４】第３実施例の処理プロセスの一例を模式的に示すフローチャートである。
【図２５】Ｅ店のウェブサイトにおけるトップページを表示した状態を示す図である。
【図２６】検索に該当した飲食店のウェブサイトを，可搬型通信端末に対する操作に応じてランダムに再生表示することを模式的に示す図である。
【図２７】第３実施例の処理プロセスのほかの一例を模式的に示すフローチャートである。
【図２８】飲食店のウェブサイトにおけるウェブページを，可搬型通信端末に対する操作に応じてランダムに再生表示することを模式的に示す図である。
【図２９】本発明の画面表示制御システムの第４実施例のシステム構成のほかの一例を模式的に示す概念図である。
【図３０】第４実施例の処理プロセスの一例を模式的に示すフローチャートである。
【発明を実施するための形態】
【００３０】
本発明の画面表示制御システム１のシステム構成の一例の概念図を図１に示す。画面表示制御システム１を実現する可搬型通信端末のハードウェア構成の一例を図２に示す。
【００３１】
可搬型通信端末は，携帯電話，ＰＨＳ，ＰＤＡ，タブレット型コンピュータなどの持ち運び可能な通信端末であって，その表示装置としてタッチパネル型の表示装置を備えているものである。タッチパネルには種々の形式があるが，それには限定されない。
【００３２】
可搬型通信端末は，プログラムの演算処理を実行するＣＰＵなどの演算装置７０と，情報を記憶するＲＡＭなどの記憶装置７１と，タッチパネルディスプレイなどのタッチパネル型表示装置７２と，演算装置７０の処理結果や記憶装置７１に記憶する情報を公衆電話回線，インターネットやＬＡＮなどのネットワークを介して送受信する通信装置７３とを有している。可搬型通信端末上で実現する各機能（各手段）は，その処理を実行する手段（プログラムやモジュールなど）が演算装置７０に読み込まれることでその処理が実行される。各機能は，記憶装置７１に記憶した情報をその処理において使用する場合には，該当する情報を当該記憶装置７１から読み出し，読み出した情報を適宜，演算装置７０における処理に用いる。
【００３３】
本発明における各手段は，その機能が論理的に区別されているのみであって，物理上あるいは事実上は同一の領域を為していても良い。
【００３４】
本発明の画面表示制御システム１には第１から第３の実施態様がある。第１の実施態様は，可搬型通信端末で表示する画面を，所定時間経過するごとに変更する場合であり，第２の実施態様は，第１の実施態様において，可搬型通信端末装置を傾けることで画面を変更するタイミングを変化させる場合であり，第３の実施態様は，可搬型通信端末において所定の操作，たとえば可搬型通信端末が振られる操作を検出すると，画面が変更される場合である。以下，各実施態様ごとに説明を行う。
【実施例１】
【００３５】
本実施態様の可搬型通信端末で実現される画面表示制御システム１は，入力受付部１０とタイミング特定部１１と画面表示制御部１２と画面表示処理部１３とを有する。
【００３６】
入力受付部１０は，可搬型通信端末を利用するユーザから，当該可搬型通信端末のタッチパネル型表示装置７２に対する入力，操作を受け付ける。
【００３７】
タイミング特定部１１は，画面変更をするためのタイミングを特定する。たとえば時間を計時し，あらかじめ定められた時間を経過するかを判定することで，タイミングを特定する。なお，以下の説明では，タイミングの特定として時間を計時する場合で説明するが，それ以外，たとえば速さやその他の要因でタイミングを特定しても良い。
【００３８】
画面表示制御部１２は，可搬型通信端末装置のタッチパネル型表示装置７２で表示する画面の表示制御を行う。たとえば検索結果や表示対象となったウェブサイトのうち，所定の表示制御ルールに従って画面表示制御を行う。
【００３９】
画面表示処理部１３は，画面表示制御部１２で制御した画面（表示することを決定した画面）を，可搬型通信端末の表示装置で表示する。なお，画面表示処理部１３で自動再生する画面は，好ましくは，可搬型通信端末のタッチパネル型表示装置７２内で一画面（スクロールを必要としない画面）で表示可能な画面であることが好ましい。また後述するように，画面表示制御部１２が取得要求等を行う画面もタッチパネル型表示装置７２で一画面で表示可能な画面であることが好ましい。自動再生するため，スクロールを不要とし，一見すればその内容を認識可能とすることが求められているためである。
【００４０】
つぎに，処理プロセスの一例を図３のフローチャートを用いて模式的に示す。まず，ユーザが可搬型通信端末で検索を行い，その検索結果の画面を順次表示させる場合を説明する。なお，ユーザは飲食店情報提供サイトにおいて所望の飲食店を検索する場合を説明するが，それ以外の場合であっても同様に行える。
【００４１】
ユーザが飲食店情報提供サイトを可搬型通信端末で表示しており，所望の条件に従った飲食店を検索したい場合，検索条件を可搬型通信端末のタッチパネル型表示装置７２において入力をする。たとえば図５に示すような検索画面に，キーワード，エリア，駅名，現在地などを検索条件として入力をし，その入力を入力受付部１０で受け付ける（Ｓ１００）。
【００４２】
検索条件の入力を受け付けると，画面表示制御部１２は，飲食店情報提供サイトのウェブサーバに対して検索要求を送り（Ｓ１１０），そのウェブサーバから検索結果を取得する（Ｓ１２０）。たとえばＡ店乃至Ｆ店の６店が該当する検索結果を受け取ったとする。検索結果の一覧を示す画面の一例が図６である。なお，ウェブサーバは，ここでは，飲食店の情報提供サイトのウェブサーバとなる。
【００４３】
そしてユーザが当該画面において，自動閲覧機能を選択するための表示「お店を見る」をタップすると，本発明の画面表示制御システム１である自動閲覧機能が起動する。すなわち，画面表示制御部１２は，自動閲覧機能を選択するための表示「お店を見る」のタップを検出すると，取得した検索結果における飲食店のウェブサイトのうち，未表示の飲食店のウェブサイトであって，もっとも検索結果の順位の高い飲食店のウェブサイトを特定する（Ｓ１３０，Ｓ１４０）。ここではまだいずれの飲食店のウェブサイトも表示していないことから，最も検索結果の順位の高い飲食店「Ａ店」のウェブサイトを画面表示制御部１２は特定し，「Ａ店」のウェブサイトにおけるトップページの情報の取得要求をウェブサーバに行う。そして，画面表示処理部１３は，Ａ店のウェブサイトにおけるトップページの情報をウェブサーバから取得し，表示を行う（Ｓ１５０）。これを模式的に示すのが図７である。なお，検索結果を取得することで自動的に本発明の自動閲覧機能を起動させても良い。すなわち，検索結果を取得すると，取得した検索結果における飲食店のウェブサイトのうち未表示の飲食店のウェブサイトであって，もっとも検索結果の順位の高い飲食店のウェブサイトを特定する（Ｓ１３０，Ｓ１４０）。そして，画面表示処理部１３は，Ａ店のウェブサイトにおけるトップページの情報をウェブサーバから取得し，表示を行うように構成しても良い。（Ｓ１５０）。この場合，Ｓ１２０で取得した検索結果におけるすべての飲食店のウェブサイトにおけるトップページの情報を取得すると，次の検索結果における飲食店のウェブサイトにおけるトップページの情報を取得するように構成しても良い。たとえば検索結果が，１ページ目から３ページ目にわたる場合，Ｓ１２０ではまず１ページ目の検索結果を取得するので，１ページ目におけるすべての飲食店のウェブサイトにおけるトップページの情報を，トップページの情報の表示と並行して行う。そして検索結果の１ページ目の飲食店のウェブサイトにおけるトップページの情報の取得終了後，検索結果の２ページ目の飲食店のウェブサイトにおけるトップページの情報の取得を，トップページの情報の表示と並行して行う。そしてそれが終了後，さらに，検索結果の３ページ目の飲食店のウェブサイトにおけるトップページの情報の取得を行う。このような処理によって，ユーザに対して待機をさせずに，可搬型通信端末における表示制御を行うことができる。
【００４４】
タイミング特定部１１では，Ａ店のウェブサイトにおけるトップページの表示から計時を開始し，それがあらかじめ定められた画面変更時間に到達するまで計時を行う（Ｓ１６０）。画面変更時間は，その画面を変更するまでの時間であり，あらかじめユーザの設定により任意に設定が可能である。たとえば「２秒」と設定しておけば，Ａ店のウェブサイトにおけるトップページが表示されると，タイミング特定部１１では２秒の計時を開始する。
【００４５】
そして画面変更時間，たとえば２秒を経過すると，画面表示制御部１２は，Ｓ１２０で取得した検索結果のすべてを表示したかを判定し（Ｓ１３０），まだ表示をしていないので，検索結果の順位が次に高い飲食店「Ｂ店」のウェブサイトを特定し（Ｓ１４０），画面表示制御部１２は，Ｂ店のウェブサイトにおけるトップページの情報の取得要求をウェブサーバに行う。そして，画面表示処理部１３は，Ｂ店のウェブサイトにおけるトップページの情報をウェブサーバから取得し，表示を行う（Ｓ１５０）。これを模式的に示すのが図８である。
【００４６】
そして上述と同様に，タイミング特定部１１では，Ｂ店のウェブサイトにおけるトップページの表示から計時を開始し，画面変更時間を経過するまで計時を行う（Ｓ１６０）。その時間の経過後，画面表示制御部１２は，Ｓ１２０で取得した検索結果のすべてを表示したかを判定し（Ｓ１３０），まだ表示をしていないので，つぎに検索結果の順位が高い飲食店「Ｃ店」のウェブサイトを特定する（Ｓ１４０）。画面表示制御部１２がＣ店のウェブサイトにおけるトップページの情報の取得要求をウェブサーバに行う。そして，画面表示処理部１３は，Ｃ店のウェブサイトにおけるトップページの情報をウェブサーバから取得し，表示を行う（Ｓ１５０）。これを模式的に示すのが図９である。
【００４７】
以上のように，全ての検索結果の表示を終了するまで，順番に表示要求を行う。
【００４８】
このように，画面変更時間ごとに画面の表示要求を画面表示制御部１２が行うことで，検索に該当した飲食店のウェブサイトが順番に自動的に再生表示されることとなる。これを模式的に示すのが図１０である。
【００４９】
なお，上述の説明では，画面変更時間を経過すると，画面表示制御部１２が検索結果のつぎの順位のウェブサイトにおけるトップページの取得要求を行っていたが，画面表示処理部１３でウェブサイトにおけるトップページの表示後，画面変更時間の経過前に，画面表示制御部１２が検索結果のつぎの順位のウェブサイトにおけるトップページを特定し（Ｓ１４０），その表示要求を行い，タイミング特定部１１の計時による画面変更時間の経過前まで，画面表示処理部１３がウェブサーバから取得した，つぎのウェブサイトにおけるトップページの情報を一時記憶しておき，画面変更時間の経過後，一時記憶したつぎのウェブサイトにおけるトップページの情報を表示してもよい。これによって，画面表示と次の画面の取得を平行処理できるので，処理時間を短縮することができる。
【００５０】
なお，自動閲覧機能の処理中に，「お店を見る」を再度タップをすることで，自動閲覧機能を中止しても良いし，その左右にある矢印を選択することで，検索結果における飲食店のウェブサイトにおけるトップページの表示順序を昇順，降順に切り替えることができる。また図６などには示していないが，早送り，巻き戻しなどのボタンを設けてもよい。
【００５１】
つぎに本実施例の別の実施態様を図４のフローチャートを用いて説明する。この場合，ユーザが可搬型通信端末である飲食店のウェブサイトを閲覧しており，そのウェブサイトにおける各種のページを順次，表示させる場合を説明する。なお，ユーザが飲食店のウェブサイトを閲覧する場合を説明するが，それ以外のウェブサイトであっても同様に行える。また，説明の簡略化のため，飲食店のウェブサイト内には，トップページ，店舗の詳細情報のページ，コースメニューのページ，地図情報のページなどがあり，これらは可搬型通信端末のタッチパネル型表示装置７２の一画面で表示可能なページである。
【００５２】
ユーザは，可搬型通信端末で所定の操作，たとえば飲食店のウェブサイトを閲覧する操作を行うことで，当該飲食店のウェブサイトの取得要求を入力受付部１０で受け付ける。この取得要求を受け付けると，画面表示制御部１２は，飲食店情報提供サイトのウェブサーバに対して当該ウェブサイトにおけるトップページの取得要求を行う。その取得要求に対するウェブサイトのトップページを，可搬型通信端末の画面表示処理部１３がウェブサーバから取得する。この際に表示されるトップページの一例が図１１である。ここで表示されているトップページは，自動再生用の画面ではなく，通常，可搬型通信端末で表示される画面である。
【００５３】
そしてユーザが当該画面において，自動閲覧機能を選択するための表示「お店を見る」をタップすると，本発明の画面表示制御システム１である自動閲覧機能が起動する。すなわち，画面表示制御部１２は，自動閲覧機能を選択するための表示「お店を見る」のタップを検出すると（Ｓ２００），あらかじめ自動閲覧機能用に生成された当該飲食店の各画面の表示がリスト化されたリスト情報を参照し，未表示の画面のうち，もっとも優先順位が高い画面の取得要求を画面表示制御部１２が行う（Ｓ２１０）。ここではまず，リスト情報の１位の画面の取得要求を画面表示制御部１２が行う。リスト情報は，自動閲覧機能が選択された場合に，自動的に再生する画面をリスト化した情報である。図１２にリスト情報の一例を模式的に示す。たとえばリスト情報が図１２の場合，画面表示制御部１２は，トップページの取得要求を行う。
【００５４】
そして，画面表示処理部１３は，当該飲食店のウェブサイトにおける，自動閲覧機能用のトップページの画面の情報をウェブサーバから取得し（Ｓ２２０），表示を行う（Ｓ２３０）。これを模式的に示すのが図１３である。
【００５５】
そして，タイミング特定部１１では，トップページの表示から計時を開始し，それがあらかじめ定められた画面変更時間に到達するまで計時を行う。
【００５６】
そして画面変更時間，たとえば２秒，を経過すると（Ｓ２４０），画面表示制御部１２は，リスト情報におけるすべての画面を表示したかを判定する（Ｓ２５０）。ここではまだトップページしか表示していないので，次のページである詳細情報のページの情報の取得要求をウェブサーバに行う（Ｓ２１０）。そして，画面表示処理部１３は，詳細情報のページの情報をウェブサーバから取得し（Ｓ２２０），表示を行う（Ｓ２３０）。これを模式的に示すのが図１４である。
【００５７】
そして上述と同様に，タイミング特定部１１は，詳細情報のページの表示から計時を開始し，画面変更時間を経過するまで計時を行う。その時間の経過後，画面表示制御部１２は，リスト情報におけるすべての画面を表示したかを判定する（Ｓ２５０）。まだすべてのページを表示していないので，次のページであるコースメニューのページの情報の取得要求をウェブサーバに行う（Ｓ２１０）。そして，画面表示処理部１３は，コースメニューのページの情報をウェブサーバから取得し（Ｓ２２０），表示を行う（Ｓ２３０）。これを模式的に示すのが図１５である。
【００５８】
以上のように，リスト情報における全てのページの表示を終了するまで，順番に表示要求を行う。
【００５９】
このように，画面変更時間ごとに画面の取得要求を画面表示制御部１２が行うことで，検索に該当した飲食店のウェブサイトが順番に自動的に再生表示されることとなる。これを模式的に示すのが図１６である。
【００６０】
なお，上述の説明では，画面変更時間を経過すると，画面表示制御部１２がリストの次の順位のウェブページの情報の取得要求を行っていたが，画面表示処理部１３でウェブページの表示後，画面変更時間の経過前に，画面表示制御部１２がリストの次の順位のウェブページの情報の取得要求を行い，タイミング特定部１１の計時による画面変更時間の経過前まで，画面表示処理部１３がウェブサーバから取得した次のウェブページの情報を一時記憶しておき，画面変更時間の経過後，一時記憶したつぎのウェブページの情報を表示してもよい。これによって，画面表示と次の画面の取得を平行できるので，処理時間を短縮することができる。
【実施例２】
【００６１】
つぎに本発明の別の実施態様の画面表示制御システム１を説明する。本実施態様の可搬型通信端末で実現される画面表示制御システム１は，入力受付部１０とタイミング特定部１１と画面表示制御部１２と画面表示処理部１３とタイミング算出部１４とを有する。図１７に本実施態様の画面表示制御システム１のシステム構成の一例を模式的に示す。なお，以下の説明において，上述の実施例１と同様の場合には説明を省略している場合もある。
【００６２】
入力受付部１０，タイミング特定部１１，画面表示制御部１２，画面表示処理部１３は，実施例１と同様である。
【００６３】
タイミング算出部１４は，可搬型通信端末に備えたジャイロセンサーなどの，可搬型通信端末の傾きを検出する検出装置の検出結果を取得する。取得した結果に基づいて，タイミング算出部１４は，画面変更タイミングを算出する。そして算出した画面変更タイミングに基づいて，画面表示制御部１２は，画面の表示制御を行う。
【００６４】
つぎに，処理プロセスの一例を図１８のフローチャートを用いて模式的に示す。まず，ユーザが可搬型通信端末で検索を行い，その検索結果の画面を順次表示させる場合を説明する。なお，ユーザは飲食店情報提供サイトにおいて所望の飲食店を検索する場合を説明するが，それ以外の場合であっても同様に行える。
【００６５】
ユーザが飲食店情報提供サイトを可搬型通信端末で表示しており，所望の条件に従った飲食店を検索したい場合，検索条件を可搬型通信端末のタッチパネル型表示装置７２において入力をし，その入力を入力受付部１０で受け付ける（Ｓ３００）（図５）。
【００６６】
検索条件の入力を受け付けると，画面表示制御部１２は，飲食店情報提供サイトのウェブサーバに対して検索要求を送り（Ｓ３１０），そのウェブサーバから検索結果を取得する（Ｓ３２０）。たとえばＡ店乃至Ｆ店の６店が該当する検索結果を受け取ったとする（図６）。
【００６７】
そしてユーザが当該画面において，自動閲覧機能を選択するための表示「お店を見る」をタップすると，本発明の画面表示制御システム１である自動閲覧機能が起動する。すなわち，画面表示制御部１２は，自動閲覧機能を選択するための表示「お店を見る」のタップを検出すると，取得した検索結果における飲食店のウェブサイトのうち，未表示の飲食店のウェブサイトであって，もっとも検索結果の順位の高い飲食店のウェブサイトを特定する（Ｓ３３０，Ｓ３４０）。ここではまだいずれの飲食店のウェブサイトも表示していないことから，最も検索結果の順位の高い飲食店「Ａ店」を画面表示制御部１２は特定し，「Ａ店」のウェブサイトにおけるトップページの情報の取得要求をウェブサーバに行う。そして，画面表示処理部１３は，Ａ店のウェブサイトにおけるトップページの情報をウェブサーバから取得し，表示を行う（Ｓ３５０）（図７）。なお，検索結果を取得することで自動的に本発明の自動閲覧機能を起動させても良いことは実施例１と同様である。
【００６８】
そして，タイミング算出部１４では，可搬型通信端末に備えた検出装置によって，可搬型通信端末の前後方向，左右方向への傾きを検出する（Ｓ３６０）。なおここでは左右方向への傾きを検出するとする。そしてその傾きに基づいて，画面変更時間を算出する（Ｓ３７０）。図１９に傾き検出に基づく画面変更時間の算出処理を模式的に示す。垂直状態からＸ度だけ可搬型通信端末を傾けると，検出装置でその角度を検出し，タイミング算出部１４が垂直状態から傾けられている角度の情報を取得する。そして，あらかじめ定められた基準となる画面変更時間に，傾き角度に応じて，新たな画面変更時間を算出する。この場合，たとえば，
（新たな画面変更時間）＝（基準値の画面変更時間）×（９０−傾き角度）÷９０度
で算出できる。なお，新たな画面変更時間の算出にあたっては，これ以外の算出式を用いることもできる。
【００６９】
たとえば，基準となる画面変更時間が２秒である場合，３０度傾いていることを検出すると，画面変更時間を４／３秒と算出する。また４５度傾いていることを検出すると，画面変更時間を１秒と算出する。さらに，６０度傾いていることを検出すると，画面変更時間を２／３秒と算出する。
【００７０】
このようにタイミング算出部１４で新たな画面変更時間を算出すると，タイミング特定部１１では，Ａ店のウェブサイトにおけるトップページの表示から計時を開始し，それがＳ３７０で算出した画面変更時間に到達するまで計時を行う。
【００７１】
そしてＳ３７０で算出した画面変更時間を経過すると（Ｓ３８０），画面表示制御部１２は，Ｓ３２０で取得した検索結果のすべてを表示したかを判定し（Ｓ３３０），まだ表示をしていないので，検索結果の順位が次に高い飲食店「Ｂ店」のウェブサイトを特定し（Ｓ３４０），画面表示制御部１２は，Ｂ店のウェブサイトにおけるトップページの情報の取得要求をウェブサーバに行う。そして，画面表示処理部１３は，Ｂ店のウェブサイトにおけるトップページの情報をウェブサーバから取得し，表示を行う（Ｓ３５０）（図８）。
【００７２】
そして上述と同様に，タイミング特定部１１では，Ｂ店のウェブサイトにおけるトップページの表示から計時を開始し，Ｓ３７０で算出した画面変更時間を経過するまで計時を行う。その時間の経過後，画面表示制御部１２は，Ｓ３２０で取得した検索結果のすべてを表示したかを判定し（Ｓ３３０），まだ表示をしていないので，つぎに検索結果の順位が高い飲食店「Ｃ店」のウェブサイトを特定し（Ｓ３４０），画面表示制御部１２がＣ店のウェブサイトにおけるトップページの情報の取得要求をウェブサーバに行う。そして，画面表示処理部１３は，Ｃ店のウェブサイトにおけるトップページの情報をウェブサーバから取得し，表示を行う（Ｓ３５０）（図９）。
【００７３】
以上のように，全ての検索結果の表示を終了するまで，順番に表示要求を行う。これを模式的に示すのが図２０である。
【００７４】
このように，画面変更時間ごとに画面の表示要求を画面表示制御部１２が行うことで，検索に該当した飲食店のウェブサイトが順番に自動的に再生表示されることとなる。
【００７５】
また，上述の説明では，画面変更時間を経過すると，画面表示制御部１２が検索結果のつぎの順位のウェブサイトにおけるトップページの取得要求を行っていたが，画面表示処理部１３でウェブサイトにおけるトップページの表示後，画面変更時間の経過前に，画面表示制御部１２が検索結果のつぎの順位のウェブサイトにおけるトップページを特定し（Ｓ３４０），その取得要求を行い，タイミング特定部１１の計時による画面変更時間の経過前まで，画面表示処理部１３がウェブサーバから取得したつぎのウェブサイトにおけるトップページの情報を一時記憶しておき，画面変更時間の経過後，一時記憶した，つぎのウェブサイトにおけるトップページの情報を表示してもよいことは，実施例１と同様である。
【００７６】
つぎに本実施例の別の実施態様を図２１のフローチャートを用いて説明する。この場合，ユーザが可搬型通信端末である飲食店のウェブサイトを閲覧しており，そのウェブサイトにおける各種のページを順次，表示させる場合を説明する。なお，ユーザが飲食店のウェブサイトを閲覧する場合を説明するが，それ以外のウェブサイトであっても同様に行える。また，説明の簡略化のため，飲食店のウェブサイト内には，トップページ，店舗の詳細情報のページ，コースメニューのページ，地図情報のページなどがあり，これらは可搬型通信端末のタッチパネル型表示装置７２の一画面で表示可能なページである。
【００７７】
ユーザは，可搬型通信端末で所定の操作，たとえば飲食店のウェブサイトを閲覧する操作を行うことで，当該飲食店のウェブサイトの取得要求を入力受付部１０で受け付ける。この取得要求を受け付けると，画面表示制御部１２は，飲食店情報提供サイトのウェブサーバに対して当該ウェブサイトにおけるトップページの取得要求を行う。その取得要求に対するウェブサイトのトップページを，可搬型通信端末の画面表示処理部１３がウェブサーバから取得する（図１１）。
【００７８】
そしてユーザが当該画面において，自動閲覧機能を選択するための表示「お店を見る」をタップすると，本発明の画面表示制御システム１である自動閲覧機能が起動する。すなわち，画面表示制御部１２は，自動閲覧機能を選択するための表示「お店を見る」のタップを検出すると（Ｓ４００），あらかじめ自動閲覧機能用に生成された当該飲食店の各画面の表示順番がリスト化されたリスト情報を参照し，未表示の画面のうち，もっとも優先順位が高い画面の取得要求を画面表示制御部１２が行う（Ｓ４１０）。ここでは，まず，リスト情報の１位の画面であるトップページの取得要求を画面表示制御部１２が行う。
【００７９】
そして，画面表示処理部１３は，当該飲食店のウェブサイトにおける自動閲覧機能用のトップページの画面の情報をウェブサーバから取得し（Ｓ４２０），表示を行う（Ｓ４３０）（図１３）。
【００８０】
そして，タイミング算出部１４では，可搬型通信端末に備えた検出装置によって，可搬型通信端末の前後方向，左右方向への傾きを検出する（Ｓ４４０）。そしてその傾きに基づいて，画面変更時間を算出する（Ｓ４５０）。新たな画面変更時間の算出処理は上述と同様に行える。
【００８１】
このようにタイミング算出部１４で新たな画面変更時間を算出すると，タイミング特定部１１では，Ａ店のウェブサイトにおけるトップページの表示から計時を開始し，それがＳ４５０で算出した画面変更時間に到達するまで計時を行う。
【００８２】
そしてＳ４５０で算出した画面変更時間を経過すると（Ｓ４６０），画面表示制御部１２は，リスト情報におけるすべての画面を表示したかを判定する（Ｓ４７０）。ここではまだトップページしか表示していないので，次のページである詳細情報のページの情報の取得要求をウェブサーバに行う（Ｓ４１０）。そして，画面表示処理部１３は，詳細情報のページの情報をウェブサーバから取得し（Ｓ４２０），表示を行う（Ｓ４３０）（図１４）。
【００８３】
そして上述と同様に，タイミング特定部１１は，詳細情報のページの表示から計時を開始し，Ｓ４５０で算出した画面変更時間を経過するまで計時を行う（Ｓ４６０）。その時間の経過後，画面表示制御部１２は，リスト情報におけるすべての画面を表示したかを判定する（Ｓ４７０）。まだすべてのページを表示していないので，次のページであるコースメニューのページの情報の取得要求をウェブサーバに行う（Ｓ４１０）。そして，画面表示処理部１３は，コースメニューのページの情報をウェブサーバから取得し（Ｓ４２０），表示を行う（Ｓ４３０）（図１５）。
【００８４】
以上のように，リスト情報における全てのページの表示を終了するまで，順番に表示要求を行う。
【００８５】
このように，画面変更時間ごとに画面の取得要求を画面表示制御部１２が行うことで，検索に該当した飲食店のウェブサイトが順番に自動的に再生表示されることとなる。これを模式的に示すのが図２２である。
【００８６】
なお，上述の説明では，画面変更時間を経過すると，画面表示制御部１２がリストの次の順位のウェブページの情報の取得要求を行っていたが，画面表示処理部１３でウェブページの表示後，画面変更時間の経過前に，画面表示制御部１２がリストの次の順位のウェブページの情報の取得要求を行い，タイミング特定部１１の計時による画面変更時間の経過前まで，画面表示処理部１３がウェブサーバから取得したつぎのウェブページの情報を一時記憶しておき，画面変更時間の経過後，一時記憶したつぎのウェブページの情報を表示してもよい。これによって，画面表示と次の画面の取得を平行できるので，処理時間を短縮することができる。
【００８７】
なお，タイミング算出部１４における画面変更時間の算出処理は，上述の例ではＳ３６０，Ｓ３７０，Ｓ４４０，Ｓ４５０で行ったが，上述の各処理とは並行して行われ，逐次，画面変更時間が算出されていても良い。また画面変更時間を算出するほか，画面を変更する速度を算出しても良い。すなわち画面を変更するタイミングを特定出来ればいかなる値を算出しても良い。
【００８８】
また，左右方向への傾きを検出する場合，たとえば左方向を正，右方向を負とし，その傾き方向によって，ウェブページの取得を昇順に，あるいは降順に行うとしても良い。すなわち，左に傾けている場合には，リスト情報が図１２とすると，トップページ，詳細情報のページ，コースメニューのページ，地図情報のページとし，右に傾けている場合には，トップページ，地図情報，コースメニューのページ，詳細情報のように，表示順序を変更できても良い。また，前後方向に傾けても良い。さらに，角度に基づいて数式で新たな画面変更時間を算出するのではなく，角度と時間とが段階的に対応づけられており，その段階に応じて変更できても良い。たとえば，傾きが０度から３０度は２秒，傾きが３０度から６０度は１．５秒，６０度から９０度は１秒，のように設定されていても良い。
【実施例３】
【００８９】
つぎに本発明の別の実施態様の画面表示制御システム１を説明する。本実施態様の可搬型通信端末で実現される画面表示制御システム１は，入力受付部１０と画面表示制御部１２と画面表示処理部１３と動き判定部１５とを有する。図２３に本実施態様の画面表示制御システム１のシステム構成の一例を模式的に示す。なお，以下の説明において，上述の実施例１，実施例２と同様の場合には説明を省略している場合もある。
【００９０】
入力受付部１０，画面表示制御部１２，画面表示処理部１３は，実施例１と同様である。
【００９１】
動き判定部１５は，可搬型通信端末に備えたジャイロセンサー，加速度センサー，振動センサーなどの，可搬型通信端末に対する動きを検出する検出装置の検出結果を取得する。そしてその検出結果が，あらかじめ記憶された動きのパターンと一致するかを判定し，一致する場合には画面の表示制御を行うための動きがあったと判定する。動き判定部１５での判定結果に基づき，画面表示制御部１２は，画面の表示制御を行う。
【００９２】
つぎに，処理プロセスの一例を図２４のフローチャートを用いて模式的に示す。まず，ユーザが可搬型通信端末で検索を行い，その検索結果の画面を順次表示させる場合を説明する。なお，ユーザは飲食店情報提供サイトにおいて所望の飲食店を検索する場合を説明するが，それ以外の場合であっても同様に行える。
【００９３】
ユーザが飲食店情報提供サイトを可搬型通信端末で表示しており，所望の条件に従った飲食店を検索したい場合，検索条件を可搬型通信端末のタッチパネル型表示装置７２においてで入力をし，その入力を入力受付部１０で受け付ける（Ｓ５００）（図５）。
【００９４】
検索条件の入力を受け付けると，画面表示制御部１２は，飲食店情報提供サイトのウェブサーバに対して検索要求を送り（Ｓ５１０），そのウェブサーバから検索結果を取得する（Ｓ５２０）。たとえばＡ店乃至Ｆ店の６店が該当する検索結果を受け取ったとする（図６）。
【００９５】
そしてユーザが当該画面において，自動閲覧機能を選択するための表示「お店を見る」をタップすると，本発明の画面表示制御システム１である自動閲覧機能が起動する。すなわち，画面表示制御部１２は，自動閲覧機能を選択するための表示「お店を見る」のタップを検出すると，可搬型通信端末における検出装置での可搬型通信端末に対する動きを動き判定部１５で判定する（Ｓ５３０）。たとえば可搬型通信端末が振られると，所定の方向に対して，反復（正方向，負方向）した動きを判定することができる。これは，検出装置が加速度センサーの場合，可搬型通信端末が振られることで，正方向への加速度，負方向への加速度，正方向への加速度，負方向への加速度を複数回検出するので，このような検出結果を，動き判定部１５があらかじめ記憶している動き（ここでは，「振る」という動き）のパターン（正方向への加速度，負方向への加速度，正方向への加速度，負方向への加速度といった動きのパターン）と一致するかを判定し，一致している場合には，操作があったことを判定する。
【００９６】
そして動き判定部１５で操作があったことを判定すると，画面表示制御部１２は，Ｓ５２０で取得した検索結果のすべてを表示したかを判定し（Ｓ５４０），取得した検索結果における飲食店のウェブサイトのうち，未表示の飲食店のウェブサイトのうち，ランダムに飲食店のウェブサイトを特定する（Ｓ５５０）。ここではまだいずれの飲食店のウェブサイトも表示していないことから，Ａ店乃至Ｆ店から任意の飲食店，たとえば「Ｃ店」を画面表示制御部１２は特定し，Ｃ店のウェブサイトにおけるトップページの情報の取得要求をウェブサーバに行う。そして，画面表示処理部１３は，Ｃ店のウェブサイトにおけるトップページの情報をウェブサーバから取得し，表示を行う（Ｓ５６０）（図９）。
【００９７】
そして，動き判定部１５では，可搬型通信端末に備えた検出装置によって，可搬型通信端末の前後方向，左右方向など，所定の操作を検出すると（Ｓ５３０），画面表示制御部１２は，Ｓ５２０で取得した検索結果のすべてを表示したかを判定し，まだ表示をしていないので（Ｓ５４０），検索結果における未表示の飲食店のウェブサイトのうち，ランダムに飲食店のウェブサイトを特定する（Ｓ５５０）。ここではＣ店のウェブサイト以外の表示をしていないことから，Ａ店乃至Ｆ店のうちＣ店以外，たとえば「Ｅ店」のウェブサイトを画面表示制御部１２は特定し，その飲食店のウェブサイトにおけるトップページの情報の取得要求をウェブサーバに行う。そして，画面表示処理部１３は，Ｅ店のウェブサイトにおけるトップページの情報をウェブサーバから取得し，表示を行う（Ｓ５６０）。これを模式的に示すのが図２５である。
【００９８】
以上のように，全ての検索結果の表示を終了するまで，可搬型通信端末に対する動きの操作を検出すると，ランダムに飲食店のウェブサイトの表示要求を行う。これを模式的に示すのが図２６である。
【００９９】
上述の実施例１，実施例２とは異なり，可搬型通信端末への動き操作の検出によって，画面の表示要求を画面表示制御部１２が行うことで，検索に該当した飲食店のウェブサイトが自動的に再生表示されることとなる。
【０１００】
つぎに本実施例の別の実施態様を図２７のフローチャートを用いて説明する。この場合，ユーザが可搬型通信端末である飲食店のウェブサイトを閲覧しており，そのウェブサイトにおける各種のページをランダムに表示させる場合を説明する。なお，ユーザは飲食店のウェブサイトを閲覧する場合を説明するが，それ以外のウェブサイトであっても同様に行える。また，説明の簡略化のため，飲食店のウェブサイト内には，トップページ，店舗の詳細情報のページ，コースメニューのページ，地図情報のページなどがあり，これらは可搬型通信端末のタッチパネル型表示装置７２の一画面で表示可能なページである。
【０１０１】
ユーザは，可搬型通信端末で所定の操作，たとえば飲食店のウェブサイトを閲覧する操作を行うことで，当該飲食店のウェブサイトの取得要求を入力受付部１０で受け付ける。この取得要求を受け付けると，画面表示制御部１２は，飲食店情報提供サイトのウェブサーバに対して当該ウェブサイトにおけるトップページの取得要求を行う。その取得要求に対するウェブサイトのトップページを，可搬型通信端末の画面表示処理部１３がウェブサーバから取得する（図１１）。
【０１０２】
そしてユーザが当該画面において，自動閲覧機能を選択するための表示「お店を見る」をタップすると，本発明の画面表示制御システム１である自動閲覧機能が起動する。すなわち，画面表示制御部１２は，自動閲覧機能を選択するための表示「お店を見る」のタップを検出すると（Ｓ６００），あらかじめ自動閲覧機能用に生成された当該飲食店の各画面の表示順番がリスト化されたリスト情報を参照し，未表示の画面のうち，もっとも優先順位が高い画面の取得要求を画面表示制御部１２が行う（Ｓ６１０）。ここでは，まず，リスト情報の１位の画面であるトップページの取得要求を画面表示制御部１２が行う。
【０１０３】
そして，画面表示処理部１３は，当該飲食店のウェブサイトにおける，自動閲覧機能用のトップページの画面の情報をウェブサーバから取得し（Ｓ６２０），表示を行う（Ｓ６３０）（図１３）。これを模式的に示すのが図１３である。
【０１０４】
そして，可搬型通信端末における検出装置での可搬型通信端末に対する動きを動き判定部１５で検出する（Ｓ６４０）。動き判定部１５で操作があったことを判定すると，画面表示制御部１２は，リスト情報におけるすべての画面を表示したかを判定し（Ｓ６５０），ここではまだトップページしか表示していないので，まだ未表示のうち，表示する画面をランダムに特定し（Ｓ６６０），特定したページ，たとえばコースメニューのページの情報の取得要求をウェブサーバに行う。そして，画面表示処理部１３は，コースメニューのページの情報をウェブサーバから取得し，表示を行う（Ｓ６７０）（図１５）。
【０１０５】
以上のように，リスト情報における全てのページの表示を終了するまで，ランダムに表示要求を行う。これを模式的に示すのが図２８である。
【０１０６】
以上のように，リスト情報における全てのページの表示を終了するまで，可搬型通信端末に対する動きの操作を検出すると，ランダムに飲食店のウェブサイトにおけるページの表示要求を行う。
【０１０７】
上述の実施例１，実施例２とは異なり，可搬型通信端末への動き操作の検出によって，画面の表示要求を画面表示制御部１２が行うことで，検索に該当した飲食店のウェブサイトが自動的に再生表示されることとなる。
【実施例４】
【０１０８】
本発明の別の実施態様として，本発明の自動閲覧機能で表示する検索結果として表示されるウェブサイトの画面を，あらかじめ生成しておき，その画面を表示させるのではなく，自動閲覧機能による表示の際に自動的に生成し，その画面を表示させるようにしても良い。
【０１０９】
この場合，実施例１乃至実施例３の画面表示制御システム１の構成に，さらに画面生成処理部１６を備える。この場合のシステム構成の一例を図２９に示す。なお，図２９のシステム構成は，図１（実施例１）の画面表示制御システム１のシステム構成に画面生成処理部１６を付加した場合であるが，それに限定されず，ほかの実施態様であっても同様に適用可能である。
【０１１０】
画面生成処理部１６は，画面表示処理部１３で表示する画面を生成する。すなわち，可搬型通信端末のタッチパネル型表示装置７２で一画面（スクロールを必要としない画面）で表示可能な画面を生成する。
【０１１１】
つぎに本実施態様における処理プロセスの一例を，図３０のフローチャートを用いて説明する。なお，以下の説明では，実施例１での処理に画面生成処理部１６を付加した場合の説明であるので，それ以外の場合には，適宜，可搬型通信端末のタッチパネル型表示装置７２で画面を表示する前の段階でその処理が実行される。
【０１１２】
ユーザが飲食店情報提供サイトを可搬型通信端末で表示しており，所望の条件に従った飲食店を検索したい場合，たとえば図５に示すような検索画面を表示させ，検索条件を可搬型通信端末のタッチパネル型表示装置７２において入力をする。その入力を入力受付部で受け付ける（Ｓ７００）。
【０１１３】
検索条件の入力を受け付けると，画面表示制御部１２は，飲食店情報提供サイトのウェブサーバに対して検索要求を送り（Ｓ７１０），そのウェブサーバから検索結果を取得する（Ｓ７２０）。
【０１１４】
そしてユーザが当該画面において，自動閲覧機能を選択するための表示「お店を見る」をタップすると，本発明の画面表示制御システム１である自動閲覧機能が起動する。すなわち，画面表示制御部１２は，自動閲覧機能を選択するための表示「お店を見る」のタップを検出すると，取得した検索結果における飲食店のウェブサイトのうち，未表示の飲食店のウェブサイトであって，もっとも検索結果の順位の高い飲食店のウェブサイトを特定する（Ｓ７３０，Ｓ７４０）。ここではまだいずれの飲食店のウェブサイトも表示していないことから，最も検索結果の順位の高い飲食店「Ａ店」のウェブサイトを画面表示制御部１２は特定し，「Ａ店」のウェブサイトにおけるトップページの情報の取得要求をウェブサーバに行う。
【０１１５】
この取得要求の際に，画面表示制御部１２は，「Ａ店」のウェブサイトにおけるトップページの情報のうち，あらかじめ定められた所定の項目の情報を抽出するように要求する。ここで要求する所定の項目の情報とは，可搬型通信端末のタッチパネル型表示装置７２において，一つの画面で表示するための画面を画面生成処理部１６で生成するために必要な項目の情報である。たとえば店名，最寄り駅，最寄り駅からの距離，店舗に関する情報など，たとえば図７に示す画面を生成するための情報を要求する。
【０１１６】
画面生成処理部１６は，Ａ店のウェブサイトにおけるトップページの情報のうち，あらかじめ定められた所定の項目の情報を取得し，その情報に基づいて，可搬型通信端末のタッチパネル型表示装置７２において一つの画面で表示するための画面を生成する（Ｓ７５０）。そしてこの生成した画面を，画面表示処理部１３は，表示する（Ｓ７６０）。なお，検索結果を取得することで自動的に本発明の自動閲覧機能を起動させても良いことは実施例１と同様である。
【０１１７】
タイミング特定部１１では，Ａ店のウェブサイトにおけるトップページの表示から計時を開始し，それがあらかじめ定められた画面変更時間に到達するまで計時を行う（Ｓ７７０）。画面変更時間は，その画面を変更するまでの時間であり，あらかじめユーザの設定により任意に設定が可能である。たとえば「２秒」と設定しておけば，Ａ店のウェブサイトにおけるトップページが表示されると，タイミング特定部１１では２秒の計時を開始する。
【０１１８】
そして画面変更時間，たとえば２秒を経過すると，画面表示制御部１２は，Ｓ７２０で取得した検索結果のすべてを表示したかを判定し（Ｓ７３０），まだ表示をしていないので，検索結果の順位が次に高い飲食店「Ｂ店」のウェブサイトを特定し（Ｓ７４０），画面表示制御部１２は，Ｂ店のウェブサイトにおけるトップページの情報の取得要求（Ｂ店のウェブサイトにおけるトップページの情報のうち，あらかじめ定められた所定の項目の情報を取得する要求）をウェブサーバに行う。そして，画面生成処理部１６は，Ｂ店のウェブサイトにおけるトップページの情報のうち，あらかじめ定められた所定の項目の情報をウェブサーバから取得し，画面を生成する（Ｓ７５０）。そして，画面表示処理部１３は，生成した画面の表示を行う（Ｓ７６０）。
【０１１９】
そして上述と同様に，タイミング特定部１１では，Ｂ店のウェブサイトにおけるトップページの表示から計時を開始し，画面変更時間を経過するまで計時を行う（Ｓ７７０）。その時間の経過後，画面表示制御部１２は，Ｓ７２０で取得した検索結果のすべてを表示したかを判定し（Ｓ７３０），まだ表示をしていないので，つぎに検索結果の順位が高い飲食店「Ｃ店」のウェブサイトを特定する（Ｓ７４０）。画面表示制御部１２がＣ店のウェブサイトにおけるトップページの情報の取得要求（Ｃ店のウェブサイトにおけるトップページの情報のうち，あらかじめ定められた所定の項目の情報を取得する要求）をウェブサーバに行う。そして，画面生成処理部１６は，Ｂ店のウェブサイトにおけるトップページの情報のうち，あらかじめ定められた所定の項目の情報をウェブサーバから取得し，画面を生成する（Ｓ７５０）。そして，画面表示処理部１３は，生成した画面の表示を行う（Ｓ７６０）。
【０１２０】
以上のように，全ての検索結果の表示を終了するまで，順番に表示要求を行う。
【０１２１】
なお，タッチパネル型表示装置７２の大きさは可搬型通信端末の機種によって異なる。そのため，画面表示制御部１２は，画面表示制御部１２がＣ店のウェブサイトにおけるトップページの情報の取得要求の際に，可搬型通信端末の機種を示す情報を送ることによってもよい。この場合，ウェブサーバにおいて機種を示す情報と，可搬型通信端末に送るべき項目の情報との対応関係を記憶しておき，その対応関係に基づいて，当該機種に対応した情報を抽出して可搬型通信端末に送っても良い。このように構成した場合には，可搬型通信端末の機種ごとに異なるタッチパネル型表示装置７２の大きさに対応した画面を表示させることができる。
【０１２２】
さらに，機種を示す情報ではなく，可搬型通信端末のタッチパネル型表示装置７２の大きさ（縦，横の大きさ）を送るようにしても良い。この場合，ウェブサーバではタッチパネル型表示装置７２の大きさと，その大きさに対応づけられた可搬型通信端末に送るべき項目の情報とを記憶しておき，その対応関係に基づいて，当該大きさに対応した情報を抽出して可搬型通信端末に送ることとなる。
【０１２３】
なお，画面生成処理部１６は，画面表示制御システム１に備えるのではなく，ウェブサーバに備えることもできる。
【０１２４】
以上の本実施例のように，本発明の自動閲覧機能に対応した画面を生成する構成を備えることによって，たとえば検索結果の表示の際には，１ページで表示する項目が増えたり，あるいは店舗ページでは１ページで表示する項目を減らすことができ，視認性を向上させることができる。
【産業上の利用可能性】
【０１２５】
本発明の画面表示制御システム１を用いることによって，タッチパネル型の表示装置を備える可搬型通信端末であっても，容易に検索結果などの画面を閲覧することができる。
【符号の説明】
【０１２６】
１：画面表示制御システム
１０：入力受付部
１１：タイミング特定部
１２：画面表示制御部
１３：画面表示処理部
１４：タイミング算出部
１５：動き判定部
１６：画面生成処理部
７０：演算装置
７１：記憶装置
７２：タッチパネル型表示装置
７３：通信装置
【図１】
2014157571.tif 000003
【図２】
2014157571.tif 000004
【図３】
2014157571.tif 000005
【図４】
2014157571.tif 000006
【図５】
2014157571.tif 000007
【図６】
2014157571.tif 000008
【図７】
2014157571.tif 000009
【図８】
2014157571.tif 000010
【図９】
2014157571.tif 000011
【図１０】
2014157571.tif 000012
【図１１】
2014157571.tif 000013
【図１２】
2014157571.tif 000014
【図１３】
2014157571.tif 000015
【図１４】
2014157571.tif 000016
【図１５】
2014157571.tif 000017
【図１６】
2014157571.tif 000018
【図１７】
2014157571.tif 000019
【図１８】
2014157571.tif 000020
【図１９】
2014157571.tif 000021
【図２０】
2014157571.tif 000022
【図２１】
2014157571.tif 000023
【図２２】
2014157571.tif 000024
【図２３】
2014157571.tif 000025
【図２４】
2014157571.tif 000026
【図２５】
2014157571.tif 000027
【図２６】
2014157571.tif 000028
【図２７】
2014157571.tif 000029
【図２８】
2014157571.tif 000030
【図２９】
2014157571.tif 000031
【図３０】
2014157571.tif 000032